(57)【要約】【課題】従来の室内機は、分割された熱交換器同士の接合部分において空気が集中して流入してしまうのを防ぐ目的で遮風板を熱交換器に密着させているが、この方法ではファンモータの負荷が大きくなってしまい、空気調和機の消費電力が大きく増加してしまう。【解決手段】室内機本体の上面部または前面部に設けられた吸込み口と、前記室内機本体の前面部または下面部に設けられた吹出し口と前記室内機本体内に収納された送風機と、前記送風機を含む風回路に配置される複数の熱交換器とを備える空気調和機であって、前記複数の熱交換器同士の接合部１８の風上側に、前記接合部と所定の距離をおいてガイダ１９を配置した構成とする。【選択図】図３
2015021700.tif 000002
【特許請求の範囲】
【請求項１】
室内機本体の上面部または前面部に設けられた吸込み口と、前記室内機本体の前面部または下面部に設けられた吹出し口と、前記室内機本体内に収納された送風機と、前記送風機を含む風回路に配置される複数の熱交換器とを備える空気調和機であって、前記複数の熱交換器同士の接合部の風上側に、前記接合部と所定の距離を設けて、前記接合部に流入する空気を整流するガイダを配置したことを特徴とする空気調和機。
【請求項２】
前記吸込み口にフィルタが配置され、前記フィルタまたは前記フィルタを支持するフィルタ枠の一部を所定の形状に成形し、ガイダを構成したことを特徴とする請求項１記載の空気調和機。
【請求項３】
前記ガイダの上面側に凸形状に突き出した山部を少なくとも１つ以上有することを特徴とする請求項１または２に記載の空気調和機。
【請求項４】
前記山部の断面形状を、略三角形としたことを特徴とする請求項３に記載の空気調和機。
【請求項５】
前記山部の断面形状を、略円弧形としたことを特徴とする請求項３に記載の空気調和機。
【請求項６】
前記山部を複数有し、複数の山部に挟まれた谷部に、前記ガイダを貫通する排水穴を有することを特徴とする請求項３に記載の空気調和機。
【発明の詳細な説明】
【技術分野】
【０００１】
本発明は、複数に分けられた熱交換器を有する空気調和機の室内機に関するものである。
【背景技術】
【０００２】
従来の空気調和機は、室内機本体の前面または上面またはその両方などに一箇所以上の吸込み口と、下面などに一箇所以上の吹出し口とが設けられ、この室内機本体内にクロスフローファンと熱交換器とが収納されている。この熱交換器は複数に分割された状態で室内機本体内の前面側および上面側に配置されている。そして、分割された熱交換器はクロスフローファンを風上側から取り囲むような形態に配置して、限られた空間にできるだけ大きな熱交換器を収納している（例えば特許文献１参照）。
【０００３】
熱交換器は内部を冷媒が流動する伝熱管と、伝熱管外周を覆うフィンで構成されており、冷媒と空気の熱交換を促進している。分割された熱交換器同士の接合部分は伝熱管を配置し難いために通風抵抗が小さくなり、熱交換器を通過する空気が集中して流入してしまうことで熱交換器全体に均一な流速の空気を通過させることができなくなり、熱交換器全体の伝熱性能を活かしきれなくなる可能性がある。そのため、このようなことがないように、空気の流入を防ぐ遮風板が熱交換器に接合部の風上側に密着されているものがある（例えば、特許文献２参照）。
【先行技術文献】
【特許文献】
【０００４】
【特許文献１】国際公開第２０１２／１２４２７４号
【特許文献２】特開２００４−１５６８９１号公報
【発明の概要】
【発明が解決しようとする課題】
【０００５】
しかしながら前記従来の構成では、遮風板が熱交換器に密着していることによって通風抵抗が増大することでファンモータの負荷を増大させ、空気調和機への投入電力を増大させる可能性がある。さらに、冷房運転時においては遮風板上で結露することがあるため、カビの発生の原因となり、衛生環境を悪化させる可能性がある。
【課題を解決するための手段】
【０００６】
本発明は、前記従来の課題を解決するもので、熱交換器の接合部から上方に所定の距離を設けて、接合部に流入する空気を整流するガイダを配置したものである。
【０００７】
これによって、ガイダは接合部への空気の集中した流入を制限できる上に、完全に空気の流入を遮らないため、従来の熱交換器に密着した遮風板と比較してファンモータの負荷の増大を軽減することができる。
【発明の効果】
【０００８】
上記構成により、空気調和機への投入電力の増大を抑えつつ熱交換器の接合部への空気の集中的な流入を抑制することができ、さらにガイダ上のカビ発生を防止することで衛生環境の悪化を抑えることができる。
【図面の簡単な説明】
【０００９】
【図１】本発明の実施の形態における室内機の縦断面図
【図２】本発明の実施の形態における室内機の熱交換器の縦断面図
【図３】本発明の実施の形態における室内機の熱交換器とガイダ周辺の空気の流れの模式図
【図４】本発明の実施の形態におけるガイダの一例を示す縦断面図
【発明を実施するための形態】
【００１０】
第１の発明は、室内機本体の上面部または前面部に設けられた吸込み口と、前記室内機本体の前面部または下面部に設けられた吹出し口と、前記室内機本体内に収納された送風機と、前記送風機を含む風回路に配置される複数の熱交換器とを備える空気調和機であって、前記複数の熱交換器同士の接合部の風上側に、前記接合部と所定の距離を設けて、前記接合部に流入する空気を整流するガイダを配置したことを特徴とする空気調和機である。
【００１１】
これによって、ファンモータの不可増大を抑えつつ熱交換器の接合部における空気の集中的な流入を抑制することができる。
【００１２】
第２の発明は、第１の発明のガイダを、前記フィルタまたは前記フィルタを支持するフィルタ枠の一部を所定の形状に成形して構成したものである。これによってフィルタまたはフィルタ枠の変更のみでファンモータの不可増大を抑えつつ熱交換器の接合部における空気の集中的な流入を抑制することができる。
【００１３】
第３の発明は、第１または第２の発明に記載のガイダの上面側に凸形状に突き出した山部を少なくとも１つ以上有するものである。これによって、ガイダに結露が発生したときに結露水をガイダ下方へ排水することができる。
【００１４】
第４の発明は、第３の発明に記載の山部の断面形状を、略三角形としたことを特徴とするものである。これによって、ガイダに結露が発生したときに結露水をガイダ下方へ排水することができる。
【００１５】
第５の発明は、第１の発明に記載の山部の断面形状を、略円弧形としたことを特徴とするものである。これによって、ガイダに結露が発生したときに結露水をガイダ下方へ排水することができる。
【００１６】
第６の発明は、第３の発明の山部を複数有し、複数の山部に挟まれた谷部に、ガイダを貫通する排水穴を有することを特徴とするものである。これによって、ガイダ上に発生した結露水を傾斜の下方に排出するとともに谷部に流れた結露水をガイダ下方へ排出することができる。
（実施の形態１）
一般家庭で使用される空気調和機は、通常、冷媒配管で互いに接続された室外機（図示しない）と室内機とで構成されており、室内機および室外機にはそれぞれ熱交換器が配置されており、配管及び熱交換器内で流動する冷媒と熱交換器外の空気とを熱交換させている。
【００１７】
図１は本発明の実施の形態における空気調和機の室内機の縦断面図を示すものである。図１に示すように、室内機本体１には開口部（前面開口部２および上面開口部３、下面開口部４）が形成されている。前面開口部２は開閉自在とする可動パネルである前面可動パネル５を有している。また、下面開口部４は開閉自在とする可動パネルである下面可動パネル６を有している。
【００１８】
空気調和機の停止時において、それぞれの可動パネルは室内機本体１に密着して前面開
口部２および下面開口部４を閉じている。一方で、空気調和機の運転時には図１に示すように可動パネルは室内機本体１から離反する方向に移動して開口部を開放する。前面開口部２および上面開口部３は室内を循環した空気を室内機本体１内に吸込むための吸込み口７が形成されており、下面開口部４は室内機本体１内を通過した空気の吹出し口８が形成されている。
【００１９】
吸込み口７には室内の空気中の埃などが熱交換器９に付着するのを抑制するために、熱交換器９の外側を覆うようにフィルタ１０が配置される。フィルタ１０は室内機本体１に設けられたフィルタ枠２０により保持されている。
【００２０】
吹出し口８近傍には吹出し空気の方向を上下に変更する上下変更羽根１１と吹出し空気の方向を左右に変更する左右変更羽根１２が設けられている。なお、下面可動パネル６によっても吹出し空気の方向を上下に変更することもできる。
【００２１】
室内機本体１の内部には室外機内に配置された圧縮機（図示しない）と配管で接続された室内の熱交換器９と、前面開口部２および上面開口部３から取り入れられた室内空気を熱交換器９で熱交換して室内に吹出すためのファン１３とが設けられている。ファン１３は室内機本体１内にてファンモータ（図示しない）と軸接続されている。本実施の形態におけるファン１３はクロスフローファンである。
【００２２】
さらに、室内機本体１内の前面開口部２と上面開口部３に区画された空間の角部１４には電装ユニット１５が配置される。電装ユニット１５は室内機の運転に関わる電子部品を収容している。
【００２３】
本実施の形態における室内機本体１内の熱交換器９は、図２に示すように、伝熱管１６とフィン１７から構成され、前面熱交換器９ａと背面熱交換器９ｂとで分割されるとともに、ファン１３の上方にて逆Ｖ字状に接合されて配置される。
【００２４】
さらに図３に示すように、前面熱交換器９ａと背面熱交換器９ｂの接合部１８の上方には熱交換器９から所定の距離を置いてガイダ１９を配置している。ガイダ１９の奥行き方向長さ（図３においては左右方向長さに相当）は、接合部１８において前面熱交換器９ａと背面熱交換器９ｂとが奥行き方向に重なりあっている長さより長く、また、熱交換器９の上面の略水平となっている部分の長さより短くなっている。さらに、ガイダ１９の幅方向長さ（図３においては紙面との垂直方向長さに相当）は、熱交換器９の幅方向長さとほぼ同等の長さを有している。また、ガイダ１９は、熱交換器９から、接合部１８において前面熱交換器９ａと背面熱交換器９ｂとが上下方向に重なりあっている長さより短い所定の距離を設けて配置されている。
【００２５】
このようなガイダ１９は熱交換器９に流入する空気の流れ方向を変更させる役割があり、接合部１８の上方に配置することで、接合部１８への空気の集中的な流入を抑制し、熱交換器９全域に渡って空気の流速を略均一に通過させることができる。さらに、ガイダ１９は熱交換器９から所定の距離を置いているため、ガイダ１９を配置することによるファンモータの不可増大を抑えることができる。
【００２６】
なお、熱交換器９の接合部１８一箇所に対してガイダ１９を複数配置してもよく、フィルタ１０およびフィルタ枠２０の一部を所定の形状に変更してガイダ１９を形成してもよい。
【００２７】
また、図４に示すように、ガイダ１９は室内機本体１を流れる空気の上流側面に傾斜を設け、上面側を凸形状に突き出した山部１９ａを少なくとも１つ以上配置してもよい。こ
れによってガイダ１９に結露が発生したときに結露水をガイダ１９の下方へ排水することができる。
【００２８】
さらに複数の山部１９ａに挟まれた谷部１９ｂにおいて、ガイダ１９を貫通する排水穴１９ｃを配置してもよい。排水穴１９ｃは、ガイダ１９の幅方向長さの一端または両端付近に設けられることが望ましい。これによって、谷部に流すとともに谷部１９ｂに流れた結露水を排水穴１９ｃを介してガイダ１９下方へ排出させることができる。
【産業上の利用可能性】
【００２９】
本発明に係る熱交換器のガイダは、ファンモータの不可増大を抑えつつ熱交換器の接合部の空気の流れを抑制することができるので、ルームエアコンのみならず複数の熱交換器を組み合わせて熱交換を行うことができる除湿機、ヒートポンプ乾燥方式を採用した洗濯乾燥機の熱交換ユニット等の用途にも適用できる。
【符号の説明】
【００３０】
１  室内機本体
２  前面開口部
３  上面開口部
４  下面開口部
５  前面可動パネル
６  下面可動パネル
７  吸込み口
８  吹出し口
９  熱交換器
９ａ  前面熱交換器
９ｂ  背面熱交換器
１０  フィルタ
１１  上下変更羽根
１２  左右変更羽根
１３  ファン
１４  角部
１５  電装ユニット
１６  伝熱管
１７  フィン
１８  接合部
１９  ガイダ
１９ａ  山部
１９ｂ  谷部
１９ｃ  排水穴
２０  フィルタ枠
【図１】
2015021700.tif 000003
【図２】
2015021700.tif 000004
【図３】
2015021700.tif 000005
【図４】
2015021700.tif 000006